(57)【要約】【課題】配管接続具本体を外装ケース底壁に接触しない構造にすることで、外装ケースの表面を結露させない配管接続具構造を有する温水暖房装置を提供すること。【解決手段】熱交換ユニット２０で熱交換された冷温水を放熱器３０に循環させて冷暖房を行う温水暖房装置において、前記熱交換ユニット２０側の管路５と前記放熱器３０側の管路６との配管接続具３を、前記熱交換ユニット２０の外装ケース底壁２Ａに接触しないように配設したことを特徴とする温水暖房装置で、配管接続具３を外装ケース底壁２Ａに接触しない構造にしたことで、外装ケース表面の結露を抑制することができる。【選択図】図５
2012082976.tif 000002
【特許請求の範囲】
【請求項１】
熱交換ユニットで熱交換された冷温水を放熱器に循環させて冷暖房を行う温水暖房装置において、前記熱交換ユニット側の管路と前記放熱器側の管路との配管接続具を、前記熱交換ユニットの外装ケース底壁に接触しないように配設したことを特徴とする温水暖房装置。
【請求項２】
前記配管接続具と前記熱交換ユニットの外装ケース底壁との間に、断熱材を設けたことを特徴とする請求項１に記載の温水暖房装置。
【請求項３】
前記配管接続具はフランジ部を有し、前記フランジ部は固定後、前記熱交換ユニットの外装ケース底壁に接触しないように配設することを特徴とする請求項１または２に記載の温水暖房装置。
【発明の詳細な説明】
【技術分野】
【０００１】
本発明は、温水暖房装置の配管接続具構造に関するものである。
【背景技術】
【０００２】
従来の、この種の温水暖房装置の配管接続具構造は、熱交換ユニット側の外装ケースに一対の配管接続具をそれぞれ固定し、これら一対の接続具に外部から放熱器側の２本の管路（往き管路と戻り管路）を接続するとともに、内部から熱交換ユニット側の２本の管路（往き管路と戻り管路）を接続することにより、温水暖房回路を構成していた（例えば、特許文献１参照）。
【先行技術文献】
【特許文献】
【０００３】
【特許文献１】特開平５−１８５４７号公報
【発明の概要】
【発明が解決しようとする課題】
【０００４】
市場のニーズによる製品の多様化に伴い、この種のヒートポンプ機能を用いた温水暖房装置において、冷房機能も備える商品の要求がある。しかしながら、同じ構造では、冷房運転時には管路には冷水が流れるため、特に金属材質の特性上熱を伝えやすく、外装ケースの底壁に接触している配管接続具から冷気が伝わり外装ケース表面に結露が発生するという課題を有していた。
【０００５】
前記課題を解決するために本発明は、配管接続具本体を外装ケース底壁に接触しない構造にすることで、外装ケースの表面を結露させない配管接続具構造を有する温水暖房装置を提供することを目的とする。
【課題を解決するための手段】
【０００６】
前記従来の課題を解決するために本発明は、熱交換ユニットで熱交換された冷温水を放熱器に循環させて冷暖房を行う温水暖房装置において、前記熱交換ユニット側の管路と前記放熱器側の管路との配管接続具を、前記熱交換ユニットの外装ケース底壁に接触しないように配設したことを特徴とする温水暖房装置で、配管接続具を外装ケース底壁に接触しない構造にしたことで、外装ケース表面の結露を抑制することができる。
【発明の効果】
【０００７】
本発明によれば、配管接続具本体を外装ケース底壁に接触しない構造にすることで、外装ケースの表面を結露させない配管接続具構造を有する温水暖房装置を提供できる。
【図面の簡単な説明】
【０００８】
【図１】本発明の実施の形態１における温水暖房装置の全体構成図
【図２】同熱交換ユニットの構成図
【図３】同熱交換ユニットの外観正面図
【図４】同熱交換ユニットの外観斜視図
【図５】同貯湯タンクの構成図
【発明を実施するための形態】
【０００９】
第１の発明は、熱交換ユニットで熱交換された冷温水を放熱器に循環させて冷暖房を行う温水暖房装置において、前記熱交換ユニット側の管路と前記放熱器側の管路との配管接
続具を、前記熱交換ユニットの外装ケース底壁に接触しないように配設したことを特徴とする温水暖房装置で、配管接続具を外装ケース底壁に接触しない構造にしたことで、外装ケース表面の結露を抑制することができる。
【００１０】
第２の発明は、前記配管接続具と前記熱交換ユニットの外装ケース底壁との間に、断熱材を設けたことを特徴とするもので、配管接続具と外装ケース底壁の間に、断熱材を配置することで、さらに外装ケース表面の結露を抑制することができる。
【００１１】
第３の発明は、前記配管接続具はフランジ部を有し、前記フランジ部は固定後、前記熱交換ユニットの外装ケース底壁に接触しないように配設することを特徴とするもので、完全に配管接続具との接触を無くすことで、外装ケースへの熱伝達を抑え、外装ケース表面の結露を抑制することができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における温水暖房装置の全体構成図である。図１において、本実施の形態１の温水暖房装置は、冷凍サイクルを有するヒートポンプユニット１０、冷媒と水とが熱交換を行うプレート型の熱交換器を有する熱交換ユニット２０、室内側に冷温水が流れて居住空間を冷暖房する放熱器３０を有している。熱交換ユニット２０と放熱器３０は室内に設置され、ヒートポンプユニット１０は室外に設置されており、室内と室外とは冷媒配管で接続されている。
【００１４】
ヒートポンプユニット１０には、空気と冷媒とで熱交換を行う蒸発器１１、冷媒を高温高圧冷媒に圧縮する圧縮機１２、熱交換ユニット２０の水冷媒熱交換器２１で放熱した後の冷媒を減圧する減圧装置１３が配置されており、水冷媒熱交換器２１と減圧装置１３と蒸発器１１と圧縮機１２とを順次冷媒配管にて環状に接続して冷凍サイクルを構成している。なお冷凍サイクル内の流れる冷媒には、Ｒ４１０ＡやＲ４０７Ｃや二酸化炭素などを用いる。
【００１５】
図２は、熱交換ユニット２０の構成を示す構成図である。図２に示すように、熱交換ユニット２０には冷媒と水とが熱交換を行うプレート型の水冷媒熱交換器２１、水冷媒熱交換器２１で熱交換された水を放熱器３０に送るためのポンプ２２、管内の圧力を下げることを目的とする圧力逃がし弁２３、閉回路に噛み込んだエアー逃がしを目的とする空気抜き弁２４、閉回路内の温水往き・戻りが流れているかを判断する流量計（フロースイッチ）２５、閉回路内の水圧を正常に保ち、破裂を防止することを目的とする膨張タンク２６が配置されており、ポンプ２２が駆動することによって、放熱器３０内の湯水が流れて水冷媒熱交換器２１で、水と冷媒との間で熱交換がなされている。
【００１６】
次に、本発明による配管接続具３について詳述する。図３は、熱交換ユニットの外観正面図である。図３に示すように、外装ケース２の下面に熱交換器往き管路５、また、放熱器往き管路６をそれぞれ接続するための接続具本体である。
【００１７】
図４は、熱交換ユニットの下面より見た外観斜視図である。図のように、この配管接続具３は、胴・亜鉛合金を鋳造することにより作られ、外装ケース底壁２Ａに設けられた開口部Ｄに配置されている。また、前記外装ケース底壁２Ａの開口部Ｄは配管接続具３と接触しないように配管接続具３の管径よりも大きい穴径で形成されている。このとき、開口部Ｄと配管接続具３の隙間は安全面から人の指が入る程の大きさであってはならない。
【００１８】
上述の実施の形態１によれば、冷房運転時における配管接続具３から外装ケース底壁２Ａに接触することで伝わる冷気を抑えることが出来るため、外装ケース２の表面の結露発生を少なく抑えることができる。
【００１９】
図５は、配管接続具３の断面図である。図に示すように、配管接続具３は、前記外装ケース２にネジ７によって、配管接続具３に設けられたフランジ部３Ｃと固定することができる。
【００２０】
このときフランジ部３Ｃの位置は、外装ケース底壁２Ａに接触しない位置に配置され、さらに、フランジ部３Ｃと外装ケース底壁２Ａの間には断熱材４を配置している。
【００２１】
また、熱交換ユニット２０を据付設置後には、ネジ７を取外し、配管接続具３との接触を無くした。上述の実施の形態によれば、部品保持の機能を損なうことなく、熱交換ユニット内の雰囲気温度や、接触部からの温度伝達を抑えることができ、外装ケース２の表面の結露発生を少なく抑えることができる。
【産業上の利用可能性】
【００２２】
本発明の温水暖房装置は、熱交換ユニットの冷凍サイクル内の流れる冷媒が、Ｒ４１０ＡやＲ４０７Ｃや二酸化炭素などにおいても適用できる。
【符号の説明】
【００２３】
２  外装ケース
２Ａ  外装ケース底壁
３  配管接続具
４  断熱材
５  熱交換器往き管路
６  放熱器往き管路
７  ネジ（固定部材）
１０  ヒートポンプユニット
１１  蒸発器
１２  圧縮機
１３  減圧装置
２０  熱交換ユニット
２１  水冷媒熱交換器
２２  ポンプ
２３  圧力逃がし弁
２４  空気抜き弁
２５  流量計
２６  膨張タンク
３０  放熱器
【図１】
2012082976.tif 000003
【図２】
2012082976.tif 000004
【図３】
2012082976.tif 000005
【図４】
2012082976.tif 000006
【図５】
2012082976.tif 000007